(57)【要約】【課題】バイパス流路１１内の推力ロスを低減して、航空機エンジン１のエンジン性能を高いレベルまで向上させること。【解決手段】ナセル９の内周壁面９ｐに径方向内側へ隆起した隆起部３３がボトムパイロン１７の円周方向の両側面１７ｆ，１７ｓの前縁１７ａ側から下流側に向かって形成され、径方向内側から見た隆起部３３の形状はエンジン軸方向に平行に延びた流線形状を呈してあって、隆起部３３の中央の頂部分３３ｈは、ボトムパイロン１７の後縁１７ｔ上に位置するようになっていること。【選択図】  図１
2014025395.tif 000002
【特許請求の範囲】
【請求項１】
航空機エンジンの構成要素であって、空気を取入れてコアジェット及びバイパスジェットを排気するエンジンダクトにおいて、
内部に空気を取入れてコアジェットを排気するための環状のコア流路が形成された筒状のコアカウルと、
前記コアカウルの外側に前記コアカウルを囲むように配設され、内周壁面と前記コアカウルの外周壁面との間に空気を取入れてバイパスジェットを排気するための環状のバイパス流路が形成された筒状のナセルと、
前記コアカウルの外周壁面と前記ナセルの内周壁面との間に円周方向に間隔を置いて配設され、前記コアカウルに対して前記ナセルを支持する複数のストラットと、
前記コアカウルから前記ナセルにかけて一体的に連結され、前記航空機エンジンのエンジン軸方向に平行に延びてあって、前記前記ナセルから径方向外側へ突出したメインパイロンと、
前記コアカウルの外周壁面と前記ナセルの内周壁面との間にエンジン軸心に対して前記メインパイロンと対称に設けられ、円周方向に隣接する前記ストラットの間に位置するサブパイロンと、
前記コアカウルの外周壁面と前記ナセルの内周壁面との間における前記ストラットの上流側に円周方向に間隔を置いて配設され、前記バイパス流路に取入れた空気を軸流に整流する複数のファン出口案内翼と、を具備し、
前記ナセルの内周壁面又は前記コアカウルの外周壁面に径方向内側又は径方向外側へ隆起した隆起部が前記サブパイロン、前記ストラット、及び前記ファン出口案内翼のうちの少なくともいずれかの部材の円周方向の両側面側から下流側に向かって形成され、径方向内側又は径方向外側から見た前記隆起部の形状が前記エンジン軸方向に延びた流線形状を呈してあって、前記隆起部の頂部分が前記いずれかの部材の表面上に位置するようになっていることを特徴とするエンジンダクト。
【請求項２】
前記隆起部の頂部分が前記いずれかの部材の後縁上に位置するようになっていることを特徴とする請求項１に記載のエンジンダクト。
【請求項３】
コアジェットとバイパスジェットを排気することにより、エンジン推力を発生させる航空機エンジンにおいて、
請求項１又は請求項２に記載のエンジンダクトを具備したことを特徴とする航空機エンジン。
【発明の詳細な説明】
【技術分野】
【０００１】
本発明は、空気を取入れてコアジェット及びバイパスジェットを排気するエンジンダクト、及びコアジェットとバイパスジェットを排気することによりエンジン推力を発生させる航空機エンジンに関する。
【背景技術】
【０００２】
近年、航空機エンジンの主要な構成要素であるエンジンダクトについて種々の開発がなされており、従来の一般的なエンジンダクトの構成等について簡単に説明すると、次のようになる。
【０００３】
一般的なエンジンダクトは、筒状のコアカウル（エンジン内筒）を具備しており、このコアカウルの内部（内側）には、空気を取入れてコアジェットを排気するための環状のコア流路が形成されている。また、コアカウルの外側には、筒状のナセル（エンジン外筒）がコアカウルを囲むように配設されており、ナセルの内周壁面とコアカウルの外周壁面の間には、空気を取入れてバイパスジェットを排気するための環状のバイパス流路が形成されている。更に、コアカウルの外周壁面とナセルの内周壁面との間には、コアカウルに対してナセルを支持する構造部材としての複数のストラットが円周方向に間隔を置いて配設されている。
【０００４】
コアカウルの上部からナセルの上部にかけて、航空機エンジンのエンジン軸方向に平行に延びたメインパイロンとしてのトップパイロンが一体的に連結されており、このトップパイロンは、ナセルから上方向（径方向外側）へ突出してあって、航空機に対する航空機エンジンの取付け及びエンジン推力の伝達のために用いられるものである。また、コアカウルの外周壁面の下部とナセルの内周壁面の下部との間には、サブパイロンとしてのボトムパイロンがエンジン軸心に対してトップパイロンと対称に設けられており、このボトムパイロンは、円周方向に隣接するストラットの間に位置してあって、コアカウルに対してナセルを支持する構造部材としての機能の他に、配管等を収容する機能を有している。更に、コアカウルの外周壁面とナセルの内周壁面との間における前記ストラットの上流側には、バイパス流路に取入れた空気を軸流に整流する複数のファン出口案内翼が円周方向に間隔を置いて配設されている。
【０００５】
従って、航空機エンジンを稼動させて、コア流路に取入れた空気をコアジェットとして、バイパス流路に取入れた空気を軸流に整流してバイパスジェットとしてそれぞれ排気する。これにより、航空機エンジンのエンジン推力を発生させることができる。
【０００６】
なお、本発明に関連する先行技術として特許文献１及び特許文献２に示すものがある。
【先行技術文献】
【特許文献】
【０００７】
【特許文献１】特開２００８−１５１０３３公報
【特許文献２】特開平５−２０２７６８号公報
【発明の概要】
【発明が解決しようとする課題】
【０００８】
ところで、航空機エンジンの稼動中におけるバイパス流路内の流れ場について３次元非定常粘性ＣＦＤ（Computational Fluid Dynamics）解析を行うと、図６（ａ）に示すように、ナセルの内周壁面とボトムパイロンとの接続部付近に大きな剥離領域が生成されることが判明した。ここで、図６（ａ）は、従来のエンジンダクトのバイパス流路内の流れ場の剥離領域を示す図である。一方、航空機エンジンの稼動中におけるバイパス流路内の流れ場において剥離領域が増大すると、それに伴い、バイパス流路内の推力ロスが増大して、航空機エンジンのエンジン性能を高いレベルまで向上させることが困難になる。
【０００９】
なお、航空機エンジンの稼動中におけるバイパス流路内の流れ場においては、ナセルの内周壁面とボトムパイロンとの接続部付近だけでなく、コアカウルの外周壁面とボトムパイロンとの接続部付近、ナセルの内周壁面とストラットとの接続部付近等においても、大きな剥離領域が生成されることがあり、その場合には、前述と同様の問題が生じるものである。
【００１０】
そこで、本発明は、前述の問題を解決することができる、新規な構成のエンジンダクト等を提供することを目的とする。
【課題を解決するための手段】
【００１１】
本発明の発明者は、前述の課題を解決するために、試行錯誤を繰り返した結果、図５（ａ）（ｂ）及び図６（ｂ）に示すように、ナセルの内周壁面に径方向内側へ隆起した所定の隆起部をサブパイロンとしてのボトムパイロンの円周方向の両側面側（両側面の前縁側）から下流側に向かって形成した場合には、航空機エンジンの稼働中、バイパス流路内の流れ場において、ナセルの内周壁面とボトムパイロンとの接続部付近の剥離領域を十分に低減できるという、新規な知見を得ることができ、本発明を完成するに至った。ここで、所定の隆起部とは、径方向内側から見た形状がエンジン軸方向に延びた流線形状を呈し、頂部分がボトムパイロンの表面（後縁を含む）上に位置するようになっている隆起部のことをいう。また、図５（ａ）は、発明例に係る隆起部の周辺を示す斜視図、図５（ｂ）は、発明例に係る隆起部の周辺を径方向内側から見た図、図６（ｂ）は、発明例に係るエンジンダクトのバイパス流路内の流れ場の剥離領域を示す図であって、図６（ｂ）の剥離領域は、３次元非定常粘性ＣＦＤ解析をより求めたものである。なお、図面中、「ＦＦ」は、前方向（上流方向）、「ＦＲ」は、後方向（下流方向）を指してある。
【００１２】
コアカウルの外周壁面に径方向外側へ隆起した隆起部をボトムパイロンの円周方向の両側面側から下流側に向かって形成した場合、ナセルの内周壁面又はコアカウルの外周壁面に径方向内側又は径方向外側へ隆起した隆起部をストラットの円周方向の両側面側から下流側に向かって形成した場合、及びナセルの内周壁面又はコアカウルの外周壁面に径方向内側又は径方向外側へ隆起した隆起部をファン出口案内翼の円周方向の両側面側から下流側に向かって形成した場合においても、前述の場合と同様に考えることができる。
【００１３】
本発明の第１の特徴は、航空機エンジンの構成要素であって、空気を取入れてコアジェット及びバイパスジェットを排気するエンジンダクトにおいて、内部（内側）に空気を取入れてコアジェットを排気するための環状のコア流路が形成された筒状のコアカウル（エンジン内筒）と、前記コアカウルの外側に前記コアカウルを囲むように配設され、内周壁面と前記コアカウルの外周壁面との間に空気を取入れてバイパスジェットを排気するための環状のバイパス流路が形成された筒状のナセル（エンジン外筒）と、前記コアカウルの外周壁面と前記ナセルの内周壁面との間に円周方向に間隔を置いて配設され、前記コアカウルに対して前記ナセルを支持する複数のストラットと、前記コアカウルから前記ナセルにかけて一体的に連結され、前記航空機エンジンのエンジン軸方向に平行に延びてあって、前記ナセルから径方向外側（側方）へ突出したメインパイロンと、前記コアカウルの外周壁面と前記ナセルの内周壁面との間にエンジン軸心に対して前記メインパイロンと対称に設けられ、円周方向に隣接する前記ストラットの間に位置するサブパイロンと、前記コアカウルの外周壁面と前記ナセルの内周壁面との間における前記ストラットの上流側に円周方向に間隔を置いて配設され、前記バイパス流路に取入れた空気を軸流に整流する複数のファン出口案内翼と、を具備し、前記ナセルの内周壁面又は前記コアカウルの外周壁面に径方向内側又は径方向外側へ隆起した隆起部が前記サブパイロン、前記ストラット、及び前記ファン出口案内翼のうちの少なくともいずれかの部材の円周方向の両側面側から下流側に向かって形成され、径方向内側又は径方向外側から見た前記隆起部の形状が前記エンジン軸方向に延びた流線形状を呈してあって、前記隆起部の頂部分が前記いずれかの部材の表面上に位置するようになっていることを要旨とする。
【００１４】
なお、本願の明細書及び特許請求の範囲において、「配設され」とは、直接的に配設されたことの他に、別部材を介して間接的に配設されたことを含む意であって、「設けられ」とは、直接的に設けられたことの他に、別部材を介して間接的に設けられたことを含む意である。また、「上流」とは、前記コア流路又は前記バイパス流路において主流の流れ方向から見て上流のことをいい、「下流」とは、前記コア流路又は前記バイパス流路において主流の流れ方向から見て下流のことをいう。
【００１５】
第１の特徴によると、前記航空機エンジンを稼動させて、前記コア流路に取入れた空気をコアジェットとして、前記バイパス流路に取入れた空気を軸流に整流しつつバイパスジェットとしてそれぞれ排気する。これにより、前記航空機エンジンのエンジン推力を発生させることができる。
【００１６】
前述の作用の他に、前記ナセルの内周壁面又は前記コアカウルの外周壁面に径方向内側又は径方向外側へ隆起した前記隆起部が前記いずれかの部材の円周方向の両側面側から下流側に向かって形成され、径方向内側又は径方向外側から見た前記隆起部の形状が前記エンジン軸方向に延びた流線形状を呈してあって、前記隆起部の頂部分が前記いずれかの部材の表面上に位置するようになっているため、前述の新規な知見を適用又は類推適用すると、前記航空機エンジンの稼動中、前記バイパス流路内の流れ場における剥離領域を十分に低減することができる。
【００１７】
本発明の第２の特徴は、コアジェットとバイパスジェットを排気することにより、エンジン推力を発生させる航空機エンジンにおいて、第１の特徴からなるエンジンダクトを備えたことを要旨とする。
【００１８】
第２の特徴によると、第１の特徴による作用と同様の作用を奏する。
【発明の効果】
【００１９】
本発明によれば、前記航空機エンジンの稼動中、前記バイパス流路内の流れ場における剥離領域を十分に低減できるため、前記バイパス流路内の推力ロスを低減して、前記航空機エンジンのエンジン性能を高いレベルまで向上させることができる。
【図面の簡単な説明】
【００２０】
【図１】図１は、本発明の実施形態に係る航空機エンジンの側断面図である。
【図２】図２（ａ）は、図１における矢視部IIAの拡大図、図２（ｂ）は、図２（ａ）におけるIIB-IIB線に沿った図である。
【図３】図３は、図１におけるIII-III線に沿った拡大図である。
【図４】図４は、発明例及び比較例に係るエンジンダクトのバイパス流路内におけるエンジン軸方向の位置と推力ロスとの関係を示す図である。
【図５】図５（ａ）は、発明例に係る隆起部の周辺を示す斜視図、図５（ｂ）は、発明例に係る隆起部の周辺を径方向内側から見た図である。
【図６】図６（ａ）は、従来例に係るエンジンダクトのバイパス流路内の流れ場の剥離領域を示す図、図６（ｂ）は、発明例に係るエンジンダクトのバイパス流路内の流れ場の剥離領域を示す図である。
【発明を実施するための形態】
【００２１】
本発明の実施形態の内容について図１から図４を参照して説明する。なお、図面中、「ＦＦ」は、前方向（上流方向）、「ＦＲ」は、後方向（下流方向）、「Ｌ」は、左方向、「Ｒ」は、右方向をそれぞれ指してある。
【００２２】
図１及び図３に示すように、本発明の実施形態に係る航空機エンジン１は、航空機（図示省略）に取付けられ、コアジェットＣＪとバイパスジェットＢＪを排気することにより、エンジン推力を発生させるものである。そして、本発明の実施形態に係る航空機エンジン１の全体的な構成は、次のようになる。
【００２３】
航空機エンジン１は、空気を取入れてコアジェットＣＪ及びバイパスジェットＢＪを排気するエンジンダクト３を主要な構成要素として具備しており、このエンジンダクト３は、筒状のコアカウル（エンジン内筒）５を具備しており、このコアカウル５の内部（内側）には、空気を取入れてコアジェットＣＪを後方向（下流方向）へ排気するための環状のコア流路７が形成されている。また、コアカウル５の外側には、筒状のナセル（エンジン外筒）９がコアカウル５を囲むように設けられており、ナセル９の内周壁面９ｐとコアカウル５の外周壁面（外周面）５ｐとの間には、空気を取入れてバイパスジェットＢＪを後方向へ排気するための環状のバイパス流路１１が形成されている。更に、コアカウル５の外周壁面５ｐとナセル９の内周壁面９ｐとの間には、コアカウル５に対してナセル９を支持する構造部材としての複数のストラット１３が円周方向に間隔を置いて配設されており、各ストラット１３のコード方向（前縁と後縁を結ぶ方向）は、エンジン軸方向（前後方向又はエンジン軸心ＳＣ方向）に平行になっている。
【００２４】
コアカウル５の上部からナセル９の上部にかけて、エンジン軸方向に平行に延びたメインパイロンとしてのトップパイロン１５が一体的に連結されており、このトップパイロン１５は、ナセル９から上方向（径方向外側）へ突出してあって、航空機に対する取付及びエンジン推力の伝達のために用いられるものである。また、トップパイロン１５は、燃料供給用配管（図示省略）、潤滑油供給用配管（図示省略）、客室抽気用配管（図示省略）、及び冷却空気抽気用配管（図示省略）等の配管等を収容する機能を有している。
【００２５】
コアカウル５の外周壁面５ｐの下部（下側部分）とナセル９の内周壁面９ｐの下部（下側部分）との間には、サブパイロンとしてのボトムパイロン１７がエンジン軸心（コアカウル５の軸心）ＳＣに対してトップパイロン１５と対称に設けられており、このボトムパイロン１７は、円周方向に隣接するストラット１３の間に位置してあって、ボトムパイロン１７の軸心方向は、エンジン軸方向に平行になっている。また、ボトムパイロン１７は、コアカウル５に対してナセル９を支持する構造部材としての機能及び燃料供給用配管（図示省略）等の配管等を収容する機能を有している。
【００２６】
コアカウル５の外周壁面５ｐとナセル９の内周壁面９ｐとの間におけるストラット１３の上流側には、バイパス流路１１に取入れた空気を軸流に整流する複数のファン出口案内翼１９が円周方向に間隔を置いて配設されている。
【００２７】
続いて、航空機エンジン１の構成のうち、エンジンダクト３以外の構成について簡単に説明する。
【００２８】
図１に示すように、コアカウル５の前部には、コア流路７及びバイパス流路１１に空気を圧縮して取入れるファン（ファンロータ）２１がエンジン軸心ＳＣ周りに回転可能に設けられている。また、コアカウル５の内部におけるファン２１の下流側（後側）には、コア流路７内に圧縮して取入れた圧縮空気（空気）を低圧圧縮する低圧圧縮機２３が設けられている。更に、コアカウル５の内部における低圧圧縮機２３の下流側には、低圧圧縮された圧縮空気を高圧圧縮する高圧圧縮機２５が設けられている。そして、コアカウル５の内部における高圧圧縮機２５の下流側には、圧縮空気中で燃料を燃焼させる燃焼器２７が設けられている。
【００２９】
コアカウル５の内部における燃焼器２７の下流側には、高圧タービン２９が設けられており、この高圧タービン２９は、燃焼器２７からの燃焼ガスの膨張によって駆動すると共に高圧圧縮機２５を連動して駆動させるものである。また、コアカウル５の内部における高圧タービン２９の下流側には、低圧タービン３１が設けられており、この低圧タービン３１は、燃焼ガスの膨張によって駆動する共にファン２１及び低圧圧縮機２３を連動して駆動させるものである。
【００３０】
なお、ファン２１、低圧圧縮機２３、高圧圧縮機２５、高圧タービン２９、及び低圧タービン３１は、複数の動翼（ファン動翼、低圧圧縮機動翼、高圧圧縮機動翼、高圧タービン動翼、及び低圧タービン動翼）を備えている。また、低圧圧縮機２３、高圧圧縮機２５、高圧タービン２９、及び低圧タービン３１は、複数の静翼（低圧圧縮機静翼、高圧圧縮機静翼、高圧タービン静翼、及び低圧タービン静翼）を備えている。なお、図中において、ファン２１、低圧圧縮機２３、高圧圧縮機２５、高圧タービン２９、及び低圧タービン３１における動翼は、ハッチングを施してある。
【００３１】
続いて、本発明の実施形態に係るエンジンダクト３の特徴部分について説明する。
【００３２】
図１から図３に示すように、ナセル９の内周壁面９ｐには、径方向内側へ隆起した隆起部３３がボトムパイロン１７の円周方向の両側面１７ｆ，１７ｓの前縁１７ａ側から下流側に向かって形成されている。また、径方向内側から見た隆起部３３の形状は、エンジン軸方向に平行に延びた流線形状を呈してあって、隆起部３３の中央の頂部分３３ｈは、ボトムパイロン１７の後縁１７ｔ上に位置するようになっている。
【００３３】
なお、隆起部３３の中央の頂部分３３ｈがボトムパイロン１７の後縁１７ｔ上に位置する代わりに、ボトムパイロン１７の円周方向の側面１７ｆ又は１７ｓ上に位置するようにしても構わない。また、隆起部３３が左右対称形状でなくても構わなく、図２（ａ）に示すように、隆起部３３の側方から見ると、隆起部３３の頂部分３３ｈからナセル９の内周壁面９ｐにかけて直線状に繋がっているが、流線状に繋がっていても構わない。
【００３４】
コアカウル５の外周壁面５ｐに径方向外側に隆起した別の隆起部３５がボトムパイロン１７の円周方向の両側面１７ｆ，１７ｓの前縁１７ａ側から下流側に向かって形成されるようにしても構わない。この場合には、径方向外側から見た別の隆起部３５の形状は、エンジン軸方向に平行に延びた流線形状を呈してあって、別の隆起部３５の中央の頂部分３５ｈは、ボトムパイロン１７の表面（後縁１７ｔを含む）上に位置することになる。
【００３５】
続いて、本発明の実施形態の作用及び効果について説明する。
【００３６】
適宜のスタータ装置（図示省略）の作動によって高圧圧縮機２５を駆動して、燃焼器２７によって圧縮空気の中で燃料を燃焼させることにより、燃焼ガスの膨張によって高圧タービン２９及び低圧タービン３１を駆動させると共に、高圧タービン２９によって高圧圧縮機２５を連動して駆動させて、低圧タービン３１によってファン２１及び低圧圧縮機２３を連動して駆動させる。そして、前述のような一連の動作（ファン２１の駆動、低圧圧縮機２３の駆動、高圧圧縮機２５の駆動、燃焼器２７による燃焼、高圧タービン２９の駆動、低圧タービン３１の駆動）が連続して行われることにより、航空機エンジン１を適切に稼動させて、コア流路７及びバイパス流路１１からコアジェットＣＪ及びバイパスジェットＢＪをそれぞれ排気することができ、航空機エンジン１のエンジン推力を発生させることができる。
【００３７】
前述の航空機エンジン１の一般的な作用の他に、ナセル９の内周壁面に径方向内側へ隆起した隆起部３３がボトムパイロン１７の円周方向の両側面１７ｆ，１７ｓの前縁１７ａ側から下流側に向かって形成され、径方向内側から見た隆起部３３の形状がエンジン軸方向に平行に延びた流線形状を呈してあって、隆起部３３の中央の頂部分３３ｈがボトムパイロン１７の後縁１７ｔ上に位置しているため、前述の新規な知見を適用すると、航空機エンジン１の稼動中、バイパス流路１１内の流れ場における剥離領域を十分に低減することができる。特に、コアカウル５の外周壁面５ｐに径方向外側に隆起した別の隆起部３５がボトムパイロン１７の円周方向の両側面１７ｆ，１７ｓの前縁１７ａ側から下流側に向かって形成された場合には、バイパス流路１１内の流れ場における剥離領域をより十分に低減することができる。
【００３８】
従って、本発明の実施形態によれば、航空機エンジン１の稼動中、バイパス流路１１内の流れ場における剥離領域を十分に低減できるため、バイパス流路１１内の推力ロスを低減して、航空機エンジン１のエンジン性能を高いレベルまで向上させることができる。特に、図４に示すように、バイパス流路内におけるエンジン軸方向の位置と推力ロスとの関係についての３次元非定常粘性ＣＦＤ解析結果によれば、従来例に係るエンジンダクトの場合に比べて、発明例に係るエンジンダクト（本発明の実施形態に係るエンジンダクト３）の場合の方がバイパス流路の出口位置の推力ロスを十分に低減できるが確認できた。なお、この３次元非定常粘性ＣＦＤ解析においては、発明例及び従来例に係るエンジンダクトのバイパス流路内におけるボトムパイロンの前縁位置の推力ロスをゼロとしている。
【００３９】
なお、本発明は、前述の実施形態の説明に限られるものではなく、次のように種々の態様で実施可能である。
【００４０】
ナセル９の内周壁面９ｐ又はコアカウル５の外周壁面５ｐに径方向内側又は径方向外側へ隆起したストラット側隆起部（図示省略）が各ストラット１３の円周方向の両側面側から下流側に向かって形成されるようにしても構わない。この場合には、径方向内側又は径方向外側から見た各ストラット側隆起部の形状がエンジン軸方向へ延びた流線形状を呈してあって、各ストラット側隆起部の頂部分がストラットの表面（後縁を含む）上に位置するようになっている。
【００４１】
ナセル９の内周壁面９ｐ又はコアカウル５の外周壁面５ｐに径方向内側又は径方向外側へ隆起した案内翼側隆起部（図示省略）が各ファン出口案内翼１９の円周方向の両側面側から下流側に向かって形成されるようにしても構わない。この場合には、径方向内側又は径方向外側から見た各案内翼側隆起部の形状がエンジン軸方向へ延びた流線形状を呈してあって、各案内翼側隆起部の頂部分がファン出口案内翼の表面（後縁を含む）上に位置するようになっている。
【００４２】
コアカウル５の上部からナセル９の上部にかけてトップパイロン１５が一体的に連結される代わりに、コアカウル５の左部（又は右部）からナセル９の左部（又は右部）にかけてメインパイロンとしてのメインサイドパイロン（図示省略）が一体的に連結されるようにしても構わない。この場合には、コアカウル５の外周壁面５ｐの下部とナセル９の内周壁面９ｐの下部との間にボトムパイロン１７が設けられる代わりに、コアカウル５の外周壁面５ｐの右部（又は左部）とナセル９の内周壁面９ｐの右部（又は左部）との間にサブパイロンとしてのサブサイドパイロン（図示省略）がエンジン軸心ＳＣに対してメインサイドパイロンと対称に設けられることになる。
【００４３】
また、本発明に包含される権利範囲は、これらの実施形態に限定されないものである。
【符号の説明】
【００４４】
ＢＪ    バイパスジェット
ＣＪ    コアジェット
１    航空機エンジン
３    エンジンダクト
５    コアカウル
５ｐ  コアカウルの外周壁面
７    コア流路
９    ナセル
９ｐ  ナセルの内周壁面
１１    バイパス流路
１３    ストラット
１５    トップパイロン
１７    ボトムパイロン
１７ａ  ボトムパイロンの前縁
１７ｆ  ボトムパイロンの側面
１７ｓ  ボトムパイロンの側面
１７ｔ  ボトムパイロンの後縁
１９    ファン出口案内翼  
３３    隆起部
３３ｈ  隆起部の頂部分
３５    別の隆起部
３５ｈ  別の隆起部の頂部分
【図１】
2014025395.tif 000003
【図２】
2014025395.tif 000004
【図３】
2014025395.tif 000005
【図４】
2014025395.tif 000006
【図５】
2014025395.tif 000007
【図６】
2014025395.tif 000008